(57)【要約】      （修正有）【課題】  レーザー墨出し装置の不使用時に際し、振り子部材を装置本体の中心部にて的確にロックする。【解決手段】装置本体１の基台上方部の鉛直方向に配置された振り子部材を挟持して揺動不能にロックするロック手段を備えてなるレーザー墨出し装置であって、ロック手段は、振り子部材を挟持する方向と振り子部材から離隔する方向に直線的に平行移動可能に装設された第１のロックアームと第１のロックアームと対向位置された第２のロックアームとを有し、第１のロックアームと第２のロックアームとを共動可能に連繋するとともに、第１のロックアームにおける振り子部材を挟持する方向への直線的移動時に第２のロックアームが振り子部材５を挟持する方向に同期回動され、かつ第１のロックアームにおける振り子部材５から離隔する方向への直線的移動時に第２のロックアームが振り子部材から離隔する方向に同期回動されるように構成する。【選択図】  図１
2006349621.tif 000002
【特許請求の範囲】
【請求項１】
装置本体の基台上方部の鉛直方向に配置されかつジンバル機構によって揺動可能に支持された振り子部材と、該振り子部材の所定部位に装着されかつレーザー光源及び該レーザー光源からのレーザー光を所定の方向に照射する光学手段を有するレーザー光源ユニットと、前記振り子部材を前記基台上の中心部位で挟持して揺動不能にロックするロック手段と、前記レーザー光源からのレーザー光の照射用窓部が形成されかつ前記振り子部材及びレーザー光源ユニット回りを所定の空間を隔てて覆蓋するカバー体を備えてなるレーザー墨出し装置であって、
前記ロック手段は、振り子部材を挟持する方向と該振り子部材から離隔する方向に直線的に平行移動可能に装設された第１のロックアームと、該第１のロックアームと対向位置され前記振り子部材を挟持する方向と該振り子部材から離隔する方向に回動可能に装設された第２のロックアームとを有し、
該第１のロックアームと前記第２のロックアームとを共動可能に連繋するとともに、第１のロックアームにおける振り子部材を挟持する方向への直線的移動時に前記第２のロックアームが振り子部材を挟持する方向に同期回動され、かつ第１のロックアームにおける振り子部材から離隔する方向への直線的移動時に前記第２のロックアームが振り子部材から離隔する方向に同期回動されるように構成したことを特徴とするレーザー墨出し装置。
【請求項２】
請求項１記載のレーザー墨出し装置であって、前記振り子部材に対する第１及び第２のロックアームの挟持部位を点または線接触で挟持する挟持部となしたことを特徴とするレーザー墨出し装置。
【請求項３】
請求項１または２記載のレーザー墨出し装置であって、前記第１のロックアームを前記カバー体の内面側にその直線的な平行移動を案内するようにスライド可能に装設するとともに該カバー体の内面側に面した部位に磁石体を設け、カバー体の外面側には前記第１のロックアームの磁石体に吸引状態で対向する磁石体を設けた外部操作部材をスライド可能に装設したことを特徴とするレーザー墨出し装置。
【発明の詳細な説明】
【技術分野】
【０００１】
本発明は、建築現場等において、壁、天井、床等の被照射物に墨出し用のレーザー光を投光してそのレーザー光による鉛直線或いは水平線を引くようにしたレーザー墨出し装置に係り、詳しくは、レーザー光源ユニットを取付けた振り子をその不使用時には揺動不能に保持し、使用時には揺動可能とする保持手段を備えたレーザー墨出し装置に関する。
【背景技術】
【０００２】
従来、この種のレーザー墨出し装置にあっては、装置本体に揺動可能に支持されかつジンバル機構によって常に鉛直な姿勢を維持するようになされた振り子に対し、その下端部の両側に対向して一対の弾性体からなる保持部材を設け、この保持部材を外部から操作可能な操作部材によって該振り子を挟み込む態様と振り子から離間する態様をとるように設けて、不使用時に振り子を装置本体の中心部において保持部材によって弾力的に両側から挟み込んで抱持する、いわゆる、中心ロックするように構成（中心ロック構造）されていた。そして、この保持部材が振り子から離間する態様のとき、該保持部材によりレーザー光源への給電用スイッチをオンするように構成されていた。（特許文献１参照）
【特許文献１】特開２００４−１１４２８１
【発明の開示】
【発明が解決しようとする課題】
【０００３】
しかしながら、上記した従来のものにあっては、一対の保持部材がその弾性力で振り子を挟み込んで抱持する構造であるため、その抱持時あって、保持部材による弾性力が衝撃力となって振り子を抱持することになり、その衝撃力が振り子を揺動可能に支持した支持部位（軸部位）に作用して該支持部位（軸部位）に負担がかかり、その結果、振り子の支持部位における構造に悪影響を及ぼすという問題点を惹起していた。また、保持部材がその湾曲部により振り子の外周全体を挟み込んで抱持するものの、その抱持状態は必ずしも
正確なものといえなかった。
さらに、保持部材を外部から操作する操作部材は装置本体の外側カバーを貫通して設けられるため、該貫通部位から装置本体内に塵等が入り易く、とくに、操作部材及び保持部材に関連するレーザー光源の給電用スイッチ回りに塵等が入り易くなり、その接触不良等の不具合を発生させる原因ともなっていた。
そこで、本発明は、上記した従来の問題点に鑑み，不使用時に際し、振り子部材を装置本体の中心部にて的確にロックすることができるレーザー墨出し装置を提供することを課題とする。
【課題を解決するための手段】
【０００４】
上記した課題は、各請求項記載の発明によって解決される。
請求項１記載の発明は、装置本体の基台上方部の鉛直方向に配置されかつジンバル機構によって揺動可能に支持された振り子部材と、該振り子部材の所定部位に装着されかつレーザー光源及び該レーザー光源からのレーザー光を所定の方向に照射する光学手段を有するレーザー光源ユニットと、前記振り子部材を前記基台上の中心部位で挟持して揺動不能にロックするロック手段と、前記レーザー光源からのレーザー光の照射用窓部が形成されかつ前記振り子部材及びレーザー光源ユニット回りを所定の空間を隔てて覆蓋するカバー体を備えてなるレーザー墨出し装置であって、
前記ロック手段は、振り子部材を挟持する方向と該振り子部材から離隔する方向に直線的に平行移動可能に装設された第１のロックアームと、該第１のロックアームと対向位置され前記振り子部材を挟持する方向と該振り子部材から離隔する方向に回動可能に装設された第２のロックアームとを有し、
該第１のロックアームと前記第２のロックアームとを共動可能に連繋するとともに、第１のロックアームにおける振り子部材を挟持する方向への直線的移動時に前記第２のロックアームが振り子部材を挟持する方向に同期回動され、かつ第１のロックアームにおける振り子部材から離隔する方向への直線的移動時に前記第２のロックアームが振り子部材から離隔する方向に同期回動されるように構成したことを要旨とする。
【０００５】
この発明にあっては、振り子部材を前記基台上の中心部位で挟持して揺動不能にロックするロック手段を、第１のロックアームと前記第２のロックアームとを共動可能に連繋して構成し、第１のロックアームにおける振り子部材を挟持する方向への直線的移動時に前記第２のロックアームが振り子部材を挟持する方向に同期回動され、かつ第１のロックアームにおける振り子部材から離隔する方向への直線的移動時に前記第２のロックアームが振り子部材から離隔する方向に同期回動させることによって、前記振り子部材に必要以上の外力を付与することなく、該振り子部材を基台上の中心部位にて揺動不能に挟持するものである。
【０００６】
請求項２記載の発明は、請求項１記載のレーザー墨出し装置であって、前記振り子部材に対する第１及び第２のロックアームの挟持部位を点または線接触で挟持する挟持部となしたことを要旨とする。
【０００７】
この発明にあっては、前記振り子部材に対する第１及び第２のロックアームによる挟持状態を合理的かつ的確に得ることができる。
【０００８】
請求項３記載の発明は、請求項１または２記載のレーザー墨出し装置であって、前記第１のロックアームを前記カバー体の内面側にその直線的な平行移動を案内するようにスライド可能に装設するとともに該カバー体の内面側に面した部位に磁石体を設け、カバー体の外面側には前記第１のロックアームの磁石体に吸引状態で対向する磁石体を設けた外部操作部材をスライド可能に装設したことを要旨とする。
【０００９】
この発明にあっては、振り子部材を挟持して揺動不能にロックするロック手段を外部から操作するための操作手段の装設にあって、カバー体に対し内部に至る開口部位を形成することなく外部操作部材を装設することができる。
【発明の効果】
【００１０】
請求項１記載の発明によれば、不使用時に際し、振り子部材に必要以上の外力を付与することなく、該振り子部材を基台上の中心部位にて揺動不能に的確に挟持することができる。
【００１１】
請求項２記載の発明によれば、振り子部材に対する第１及び第２のロックアームによる挟持状態を合理的かつ的確に得ることができる。
【００１２】
請求項３記載の発明によれば、ロック手段における第１のロックアームを外部から操作するための外部操作部材を、カバー体に対し内部に至る開口部位を形成することなく装設することができ、装置本体内に入り込む塵等によって、レーザー光源の給電用スイッチにおける接触不良等の不具合の発生を未然に防止することができる。
【発明を実施するための最良の形態】
【００１３】
次に、本発明を実施するための最良の形態について、実施例にしたがって説明する。
【実施例】
【００１４】
図１〜図８に示すように、本例のレーザー墨出し装置の装置本体１は、大別すると、複数本（本例では３本を示す。）の脚部２ａを有する固定フレーム２と、該固定フレーム２
上に装設された基台３と、該基台３の上方部の鉛直方向に配置されかつジンバル機構４によって揺動可能に支持された振り子部材５と、該振り子部材５の所定部位に装着されかつレーザー光源及び該レーザー光源からのレーザー光を所定の方向に照射する光学手段を有する複数個のレーザー光源ユニット６と、前記振り子部材５を前記基台３上の中心部位で挟持して揺動不能にロックするロック手段７と、前記レーザー光源からのレーザー光の照射用窓部（図示しない）が形成されかつ前記振り子部材５及びレーザー光源ユニット６回りを所定の空間を隔てて覆蓋するカバー体８とから構成されている。
【００１５】
前記基台３は、円盤状に形成されていて固定フレーム２の環状枠２ｂに水平状態での微回動可能に嵌合支承されており、その上面の上方ほぼ中心部には複数本（本例では４本を示す）の支柱９により既存のジンバル機構４が装設されている。なお、基台３は固定フレーム２の環状枠２ｂの側部に設けた微回動調整手段によりその水平状態での回動位置が微調整されるように構成されている。
【００１６】
前記振り子部材５は、円筒状に形成されていて、前記基台３の中心部においてその上端部が前記ジンバル機構４に揺動可能に支持されている。これにより、振り子部材５は基台３の中心部の上方部において鉛直方向に配置されるとともに、ジンバル機構４に対する支持部位を支点として自由な揺動状態が確保されている。
【００１７】
また、振り子部材５の上端部及び外周の所定位置にはレーザー光源及び該レーザー光源からのレーザー光を所定の方向に照射する光学手段を有する複数個の既存のレーザー光源ユニット６が装設されている。
【００１８】
前記ロック手段７は、前記振り子部材５のほぼ下部外周に対向して配置されていて、該振り子部材５を前記基台３上の中心部位で挟持して揺動不能にロックするように、一対の第１のロックアーム１０と第２のロックアーム１１とから構成されている。
【００１９】
前記第１のロックアーム１０は、図１及び図４に示すように、平面形状がほぼＬ字状に形成され、一方の基部１０ａが後述するカバー体８の内面側に位置され、他方の突片部１０ｂが振り子部材５側に延出位置されるとともに該振り子部材５の外周に対向するほぼくの字状の挟持部１２が形成されている。
前記基部１０ａが位置されるカバー体８の内面は所定の長さの平滑面８ａが形成され、この平滑面８ａに対し所定の間隔をおいて対向されたスライドガイド部材１３が前記基台３に装設され、このスライドガイド部材１３には下部に該平滑面８ａと平行状にレール部１３ａが形成されている。
そして、前記第１のロックアーム１０の基部１０ａが前記カバー体８の平滑面８ａとスライドガイド部材１３とで形成された間隔内に位置されるとともに、該基部１０ａの下端がスライドガイド部材１３のレール部１３ａにスライド可能に嵌合されている。
しかして、第１のロックアーム１０全体は、その基部１０ａがカバー体８の平滑面８ａとスライドガイド部材１３及びレール部１３ａに案内されながら水平方向の直線的な平行移動可能に装設されるものであり、これによって、該第１のロックアーム１０と一体の挟持部１２が振り子部材５の外周に対し、該振り子部材５を挟持する方向と振り子部材５から離隔する方向に直線的に平行移動されるものである。
【００２０】
そして、前記スライドガイド部材１３の上部の一方側にはほぼ横向きＵ字状に曲折して弾性力を付与した係合片１４が前記第１のロックアーム１０の基部１０ａの上端面に対向して一体的に突設されており、また、上部の他方側にはレーザー光源ユニット６におけるレーザー光源への給電用スイッチであるリミットスイッチ１５がその作動片１５ａを下向きにして装設されている。なお、前記係合片１４の曲折された先端下部には係合突起１４ａが形出されている。
【００２１】
また、前記第１のロックアーム１０における基部１０ａの上端面の２箇所には、前記係合片１４の係合突起１４ａが係脱する係合溝１６ａ、１６ｂが刻設されていて、該第１のロックアーム１０の挟持部１２が振り子部材５を挟持した状態の位置において、一方の係合溝１６ａが係合片１４の係合突起１４ａと係合され、該第１のロックアーム１０の挟持部１２が振り子部材５から離隔された状態の位置において、他方の係合溝１６ｂが係合片１４の係合突起１４ａと係合されてそれぞれの位置が確保されるように構成されている。
そして、この状態にあって、第１のロックアーム１０の挟持部１２が振り子部材５を挟持した状態では、基部１０ａによってその作動片１５ａを押し上げてリミットスイッチ１５をオンし、第１のロックアーム１０の挟持部１２が振り子部材５から離隔された状態では基部１０ａによる作動片１５ａの押し上げが解かれてリミットスイッチ１５をオフするように構成されている。
【００２２】
さらに、前記第１のロックアーム１０における基部１０ａには、前記カバー体８の平滑面８ａの内面側に面した部位に磁石ホルダー１７を介して磁石体１８装設されている。
【００２３】
前記ロック手段７における第２のロックアーム１１は、図１及び図４に示すように、前記基台３上に対しそのほぼ中央部が支ピン１９を介して水平方向の回動可能に支承されており、その一方端部にはくの字状に曲折されかつ前記第１のロックアーム１０における基部１０ａの一方側端に対向された連繋部２０が形成され、他方端部には前記振り子部材５側に延出位置されるとともに該振り子部材５の外周に対向するほぼコの字状の挟持部２１が形成されている。
【００２４】
そして、第２のロックアーム１１は、支ピン１９との間にコイルスプリング２２弾装され、該連繋部２０が常に第１のロックアーム１０における基部１０ａに当接される回動方向に付勢されている。
しかして、第２のロックアーム１１は、その連繋部２０と第１のロックアーム１０の基部１０ａとの当接により連繋された状態が維持されており、該第１のロックアーム１０における振り子部材５を挟持する方向への直線的移動時に振り子部材５を挟持する方向にコイルスプリング２２の弾力に抗して同期回動され、また第１のロックアーム１０における振り子部材５から離隔する方向への直線的移動時に振り子部材５から離隔する方向にコイルスプリング２２の弾力と相俟って同期回動されるように構成されている。
この第１のロックアーム１０及び第２のロックアーム１１における振り子部材５に対する挟持状態は、第１のロックアーム１０におけるくの字状の挟持部１２と第２のロックアーム１１におけるコ字状の挟持部２１により線接触状態で挟持するように構成されている。
【００２５】
前記第２のロックアーム１１における支ピン１９の付近にはストッパーピン２３が立設され、該第２のロックアーム１１における振り子部材５から離隔する方向への必要以上の回動が阻止されるように構成されている。
【００２６】
前記カバー体８は、ほぼ円柱状のドーム形に形成されており、前記平滑部８aに対応する部位の外側から横長状の窪み部２４が形成されており、この窪み部２４内に外部操作用のつまみ状の操作部材２５がその窪み部２４内に沿って横方向のスライド可能に装設されている。
そして、操作部材２５の内面側には前記第１のロックアーム１０における基部１０aの磁石体１８と吸引（吸着）状態で磁石体２６が装設されている。しかして、第１ロックアーム１０と操作部材２５とはカバー体８の厚みを隔てた状態でその両磁石体１８、２６の吸着状態で一体化され、該操作部材２５の横方向のスライド動作により前述したように、振り子部材５を挟持する方向と振り子部材５から離隔する方向に水平状の直線的な平行移動がなされるものである。
【００２７】
本実施例は上述のように構成されたものであり、図５に示す使用時の状態から、不使用の状態において、操作部材２５を横方向にスライド動作すると、両磁石体１８、２６の吸着状態で一体化された第１のロックアーム１０が、振り子部材５の外周に対し、該振り子部材５を挟持する方向に直線的に水平状に平行移動される。
【００２８】
これと連繋部２０を介して常に連繋された状態が維持された第２のロックアーム１１が支ピン１９を支点として振り子部材５を挟持する方向にコイルプリング２２の弾力に抗ながら水平状に同期回動される。
【００２９】
そして、第１のロックアーム１０の挟持部１２と第２のロックアーム１１の挟持部２１とが振り子部材５の外周に当接した状態で該揺動が自由状態である振り子部材５を基台３上の中心部位で挟持して揺動不能にロックする。（図４参照）
【００３０】
この挟持状態は、第１のロックアーム１０におけるくの字状の挟持部１２と第２のロックアーム１１におけるコ字状の挟持部２１により線接触状態で挟持するものであり、合理的かつ的確な挟持状態に得るものである。
【００３１】
また、上記した第１のロックアーム１０の挟持部１２と第２のロックアーム１１の挟持部２１とによる振り子部材５の挟持状態にあっては、該第１のロックアーム１０の基部１０ａの一方の係合溝１６ａが係合片１４の係合突起１４ａと係合されため、その位置が確保されるとともに、該第１のロックアーム１０の基部１０ａによる作動片１５ａの押し上げが解かれてリミットスイッチ１５をオフ状態としてレーザー光源ユニット６のレーザー光源への給電を停止する。
【００３２】
次いで、使用に際して、第１のロックアーム１０及び第２のロックアーム１１による振り子部材５の挟持状態を解除する場合は、操作部材２５を前述とは逆方向の横方向にスライド動作すると、両磁石体１８、２６の吸着状態で一体化された第１のロックアーム１０が、振り子部材５の外周に対し、該振り子部材５から離隔する方向に直線的に水平状に平行移動される。
【００３３】
これと連繋部２０を介して常に連繋された状態が維持された第２のロックアーム１１が支ピン１９を支点として振り子部材５から離隔する方向にコイルプリング２２の弾力と相俟って水平状に同期回動される。
【００３４】
そして、第１のロックアーム１０の挟持部１２と第２のロックアーム１１の挟持部２１とが振り子部材５の外周から離隔されて振り子部材５を自由な揺動状態の姿勢にするものである。（図５参照）
【００３５】
この、上記した第１のロックアーム１０の挟持部１２と第２のロックアーム１１の挟持部２１とが振り子部材５から離隔された状態にあっては、該第１のロックアーム１０の基部１０ａの他方の係合溝１６ｂが係合片１４の係合突起１４ａと係合されため、その位置が確保されるとともに、該第１のロックアーム１０の基部１０ａにより作動片１５ａを押し上げてリミットスイッチ１５をオン状態としてレーザー光源ユニット６のレーザー光源の給電し、その使用に対応するものである。
【図面の簡単な説明】
【００３６】
【図１】本発明の一実施例の形態を示す分解斜視図である。
【図２】装置本体の正面図である。
【図３】カバー体を取り外した装置本体の正面図である。
【図４】ロック手段の作動状態を示す断面図である。
【図５】同じく、ロック手段の作動状態を示す断面図である。
【図６】係合片と係合溝の関係を示す拡大正面図である。
【図７】同じく、係合片と係合溝の関係を示す拡大正面図である。
【図８】第１のロックアームと操作部材の取付状態を示す拡大断面図である。
【符号の説明】
【００３７】
１  装置本体
３  基台
４  ジンバル機構
５  振り子部材
６  レーザー光源ユニット
７  ロック手段
８  カバー体
１０  第１のロックアーム
１１  第２のロックアーム
１８  磁石体
２０  連繋部
２５  操作部材
２６  磁石体
【図１】
2006349621.tif 000003
【図２】
2006349621.tif 000004
【図３】
2006349621.tif 000005
【図４】
2006349621.tif 000006
【図５】
2006349621.tif 000007
【図６】
2006349621.tif 000008
【図７】
2006349621.tif 000009
【図８】
2006349621.tif 000010